【手続補正書】
【提出日】平成17年8月8日(2005.8.8)
【手続補正１】
【補正対象書類名】特許請求の範囲
【補正対象項目名】全文
【補正方法】変更
【補正の内容】
【特許請求の範囲】
【請求項１】
薄い被加工物(1402,1404)を結合させるためのねじ(300)であって、該ねじ(300)が所定の中心軸(512)の周りに形成された複数のリードねじ山(312)及び頭(302)を有しており、第１の被加工物(1402)が第２の被加工物(1404)上に載置され、該第２の被加工物(1404)が薄い固定材を画定し、該ねじ(300)が、多小葉型の断面を画定する本体部分(306)と、多小葉型の断面を画定する円錐ポイント部分(502)とを含み、
頭(302)に直ぐ隣接して配置されたテーパ付き谷底部分(304)であって、前記頭(302)と前記本体部分(306)との間にあり、及び変動する断面を画定し、該変動する断面が、前記頭(302)に隣接する最近円断面から前記小葉型の本体(306)に隣接する多小葉型の断面まで変動する、テーパ付き谷底部分(304)を特徴とし、
前記本体部分(306)、前記円錐ポイント部分(502)、及び前記テーパ付き谷底部分(304)の各々が、前記頭(302)から前記中心軸(512)に沿って前記第１の被加工物(1402)及び前記第２の被加工物(1404)を通って延びるよう構成され、前記リードねじ山(312)が、前記第２の被加工物(1404)と係合して、前記テーパ付き谷底部分(304)が該第２の被加工物(1404)に係合した状態で該第２の被加工物(1404)を前記第１の被加工物(1402)及び頭(302)に対して強制的に圧縮させるようになっている、ねじ(300)。
【請求項２】
前記複数のリードねじ山(312)が、前記円錐ポイント部分(502)、前記本体部分(306)、及び前記テーパ付き谷底部分(304)に沿って配置された一組のねじ山輪郭を有しており、前記中心軸(512)の周りの外周全体についての該中心軸(512)を通る測定値が、各ねじ山(312)の頂に対して一定であり、及び前記テーパ付き谷底部分(304)と該テーパ付き谷底部分(304)に隣接する前記本体部分(306)の少なくとも一部とに沿って維持される、請求項１に記載のねじ(300)。
【請求項３】
回転軸(512)に沿って測定した隣接するねじ山(312)の頂間の距離が軸方向ピッチ(P)を画定し、前記テーパ付き谷底部分(304)が該軸方向ピッチ(P)の少なくとも２倍の軸方向長さを有する、請求項２に記載のねじ(300)。
【請求項４】
回転軸(512)に沿って測定した隣接するねじ山(312)の頂間の距離が軸方向ピッチ(P)を画定し、前記テーパ付き谷底部分(304)が該軸方向ピッチ(P)の3.5倍以下の軸方向長さを有する、請求項２に記載のねじ(300)。
【請求項５】
請求項１ないし請求項４の何れか一項に記載のねじ(300)の使用方法であって、
所定の中心軸(512)の周りに形成されたねじ山(312)及び頭(302)を有するねじ(300)を使用して少なくとも第１の薄い被加工物(1402)と第２の薄い被加工物(1404)とを結合させ、該ねじ(300)が、多小葉型のねじ山形成断面を画定する本体部分(306)と、前記頭(302)に直ぐ隣接して配置されたテーパ付き谷底部分(304)であって、前記頭(302)と前記本体部分(306)との間にあり、及び該頭(302)に隣接する最近円断面から前記本体部分(306)に隣接する最大の小葉型を有する多小葉型の断面まで変動する断面を画定する、テーパ付き谷底部分(304)と、多小葉型のねじ山形成断面を画定する円錐ポイント部分(502)と、前記ねじ本体(306)及び前記テーパ付き谷底部分(304)に沿って配置された一組のねじ山輪郭(1406,1408)を有するリードねじ山(1406,1408)とを含み、前記回転軸(512)から各ねじ山の頂までの一定の半径方向距離が、前記テーパ付き谷底部分(304)と該テーパ付き谷底部分(304)に隣接する前記本体部分(306)の少なくとも一部との両方に沿って維持されており、該方法が、
ねじ(300)を回転させると共にその回転軸(512)に沿って前記第１の被加工物(1402)及び前記第２の被加工物(1404)の方向に圧力を加え、前記リードねじ山(1406,1408)が、前記テーパ付き谷底部分(304)において前記第２の被加工物(1404)と係合して、該第２の被加工物(1404)が前記第１の被加工物(1402)及び前記頭(302)を強制的に圧縮し、
前記第１の薄い被加工物(1402)が前記テーパ付き谷底部分(304)により画定される多小葉型の断面間で弛緩する際に外力による緩みに対する耐性を提供する、
ねじ(300)の使用方法。
【請求項６】
前記ねじ(300)が、前記ねじ本体(306)に沿って配置された前記ねじ山によって一連の雌ねじ山(1406,1408)を形成する、請求項５に記載の薄い被加工物を結合させるための方法。
【請求項７】
多小葉型のねじブランク上にねじ山を形成するための一対のロールフォーミングダイであって、
ねじ山をロールフォーミングするための１つ又は２つ以上の直線状の溝を有する第１のダイ(908)であって、その一端に向かう外方テーパを有し、該外方テーパが、ねじ頭に直ぐ隣接するねじブランクのテーパ付き谷底部分のねじ山のロールフォーミングを可能とするよう形成されている、第１のダイ(908)と、
該第１のダイ(908)と対面する第２のダイ(910)であって、該第１のダイが、該第２のダイ(910)との間に一定の間隔を置いて該第２のダイ(910)に対して移動可能であり、該第２のダイ(910)が、ねじ山をロールフォーミングするための１つ又は２つ以上の直線状の溝を有しており、及びその一端に向かう外方テーパを有しており、該外方テーパが、前記ねじブランクの前記テーパ付き谷底部分のねじ山のロールフォーミングを可能とするよう形成されている、第２のダイ(910)と
を含み、前記本体部分上のねじ山の外径と実質的に同じ外径のねじ山が、前記テーパ付き谷底部分に設けられる、一対のロールフォーミングダイ。
【請求項８】
前記第１のダイ(908)及び前記第２のダイ(910)が、前記ねじブランク上に複数の別個のリードねじ山を形成するよう構成されている、請求項７に記載の一対のロールフォーミングダイ。
【請求項９】
前記第１のダイ(908)の前記外方テーパ及び前記第２のダイ(910)の前記外方テーパが、それぞれ、前記テーパ付き谷底部分上にねじ山を形成するよう構成されており、該ねじ山が、前記本体部分上のねじ山の外径と実質的に同じ外径を有し、頂間におけるねじ山の谷が、前記本体部分から軸方向に前記頭に向かって連続的に増大する半径方向外方のテーパを画定する、請求項７又は請求項８に記載の一対のロールフォーミングダイ。
【請求項１０】
前記第１のダイ(908)の前記外方テーパ及び前記第２のダイ(910)の外方テーパが、それぞれ、前記テーパ付き谷底部分上にねじ山を形成するよう構成されており、該テーパ付き谷底部分が、前記頭へと向かう最近円部分から前記本体部分に隣接する最大小葉部分へと変化するものである、請求項７ないし請求項９の何れか一項に記載の一対のロールフォーミングダイ。
【請求項１１】
前記ブランクがヘッダダイ(402)により金属シャフトから形成され、該ヘッダダイ(402)が、
実質的に直線状のブランクを受容する成形用ダイキャビティ(404)であって、軸を通る断面を有し、及び、
i) 前記ブランクの頭に直ぐ隣接して円形の断面を画定し、及びそこから離隔して本体部分へと延びる、テーパ部分と、
ii) 多小葉型の断面を画定する本体部分と、
iii) 該本体部分から延び、及び多小葉型の断面を画定する、円錐ポイント部分と
を画定するダイ内壁を含む、成形用ダイキャビティ(404)を含む、
請求項７ないし請求項１０の何れか一項に記載の一対のロールフォーミングダイ。
【請求項１２】
請求項７ないし請求項１１の何れか一項に記載のロールフォーミングダイを用いて薄い被加工物を結合させるためのねじを作成するための方法であって、
一対のダイ間に小葉型の本体部分を有する頭付きブランクを挿入し、該一対のダイの各々の一方の側に設けられた一組の直線状の溝及びテーパ領域が、前記頭付きブランクの頭に直ぐ隣接してその円形のテーパ部分上に配置されるよう構成されており、
前記一対のダイから前記頭付きブランクに圧縮力を加え、
前記一対のダイの一方を直線方向に移動させることにより前記頭付きブランクを該一対のダイ間で転動させ、これにより該ブランクの中心軸が前記ダイ間の空間の中心線に対して振動する経路を画定し、該ダイが前記頭付きブランクを可塑的に変形させることにより前記ねじ本体と前記テーパ部分上のテーパ付き谷底部分との上に一組のねじ山を形成し、
前記本体部分上のねじ山の外径と実質的に同じ外径のねじ山が前記テーパ付き谷底部分に設けられる、
ねじの作成方法。
【請求項１３】
前記移動ステップが、少なくとも２つの別個のリードねじ山を前記頭付きブランク上に形成することを含む、請求項１２に記載の方法。
【請求項１４】
前記頭付きブランクの前記テーパ付き谷底部分に沿って可変断面を形成するステップを更に含み、該可変断面が、前記頭に隣接する最近円断面から前記本体に隣接する最大小葉型断面まで変動するものである、請求項１２又は請求項１３に記載の方法。
【請求項１５】
金属シャフトにヘッダダイを適用することにより頭付きブランクを成形するステップを更に含み、該ヘッダダイが、
実質的に直線状のブランクを受容する成形用ダイキャビティであって、軸を通る断面を有し、及び、
i) 前記ブランクの頭に近接して円形の断面を画定し、及びそこから離隔して本体部分へと延びる、テーパ部分と、
ii) 多小葉型の断面を画定する本体部分と、
iii) 該本体部分から延び、及び多小葉型の断面を画定する、円錐ポイント部分と
を画定するダイ内壁を含む、成形用ダイキャビティを含むものである、
請求項１２ないし請求項１４の何れか一項に記載の方法。